(57)【要約】【課題】  ３つの紙片が重ね合わされ、重なり合った紙片どうしが周縁部にて接着されて形成された封筒において、容易に開封することができながらもごみを生じさせることを回避する。【解決手段】  ３つの紙片１０，２０，３０が連接してなる封筒用紙１が巻き込むように紙片１０，２０，３０の連接部分を介して順次折り畳まれて紙片１０，２０，３０どうしがその一部にて接着されて構成され、封筒用紙１の巻き込み形状の最も外側となる紙片１０に配達証１１ａ，１１ｂが分離可能に区画形成され、紙片１０に、配達証１１ａに接した位置を始端とし、紙片１０内に終端を有するミシン目１５ａ，１５ｂを形成するとともに、紙片３０に、封筒用紙１が折り畳まれた場合にミシン目１５ａ，１５ｂと対向するようにミシン目３３を形成する。【選択図】図１
2006035742.tif 000002
【特許請求の範囲】
【請求項１】
第１、第２及び第３の紙片がこの順で重ね合わされ、重なり合った前記紙片どうしが周縁部にて接着されて形成された封筒であって、
前記第１の紙片には、情報記入部が分離可能に区画形成されているとともに、該情報記入部の両側縁にそれぞれ接した位置を始端とし当該紙片内に終端を有するように２本の第１の切り取り線が形成され、
前記第２の紙片には、第２の切り取り線が、前記第１の切り取り線と対向し、かつ前記第１の切り取り線の始端間を前記情報記入部と対向する領域内で繋いで形成され、
前記第２の紙片と前記第３の紙片との間で、封入物が封入される封入部が形成されている封筒。
【請求項２】
請求項１に記載の封筒において、
前記情報記入部は、一部に分離開始部が形成され、
前記２本の第１の切り取り線は、前記分離開始部からの前記情報記入部の分離方向上流側の間隔が、前記分離開始部からの前記情報記入部の分離方向下流側の間隔よりも広くなるように形成されていることを特徴とする封筒。
【請求項３】
連接した３つの紙片を有し、前記各紙片が重なり合うように折り畳まれ、折り畳まれた前記紙片の周縁どうしが接着されることによって封筒を形成する封筒用紙であって、
前記各紙片のうち前記封筒の裏面側を構成する紙片には、情報記入部が分離可能に区画形成されているとともに、該情報記入部の両側縁にそれぞれ接した位置を始端とし当該紙片内に終端を有するように２本の第１の切り取り線が形成され、
前記各紙片のうち、折り畳まれたときに２つの前記紙片の間に位置する紙片には、第２の切り取り線が、前記各紙片が折り畳まれた状態のときに前記第１の切り取り線と対向し、かつ前記第１の切り取り線の始端間を前記情報記入部と対向する領域内で繋いで形成されている封筒用紙。
【発明の詳細な説明】
【技術分野】
【０００１】
本発明は、３つの紙片が重ね合わされ、重なり合った紙片どうしが周縁部にて接着されて形成された封筒に関する。
【背景技術】
【０００２】
従来より、重要な配達物を発送する場合等において、配達物が受取人に配達されたことを確認できる配達記録郵便が用いられている。このような配達記録郵便においては、受取人の住所や氏名等が記載されるとともに、受取人の受取印を押下するための領域が設けられた配達証が配達物の裏面に貼付され、配達物が受取人にて受け取られると、配達証に受取印が押下され、その後、この配達証が配達物から剥離されて配達人によって持ち帰られる。これにより、配達物が間違いなく受取人に配達されたことを確認可能としている。
【０００３】
ここで、上述したような配達記録郵便においては、配達証を配達物の発送元にて配達物に貼付しておけば、郵便料金が減額される制度が設けられており、そのため、配達物の発送元において、配達物となる封筒を作成する際にこの封筒の一部に配達証を分離可能に設けておく技術が考えられている（例えば、特許文献１参照）。この技術においては、連接された３つの紙片のうち一端部となる紙片に配達証を分離可能に区画形成しておき、また、この紙片に連接する紙片に宛先情報を印刷しておく。そしてまず、宛先情報が印刷された紙片とこの紙片に連接する２つの紙片のうち配達証が設けられていない側の紙片とを連接部を介して折り畳み接着する。この２つの紙片においては、２つの紙片に渡って３辺に接着剤が塗布されており、この接着剤によって互いに接着されることになる。これにより、封入物が封入される領域が形成される。その後、接着された２つの紙片のうち宛先情報が印刷されていない紙片と配達証が設けられた紙片とが対向するように折り畳み、配達証が設けられた紙片に塗布された剥離可能な接着剤によってこれらを互いに接着する。
【０００４】
このように、宛先情報が印刷された紙片とこれに隣接する紙片とが接着剤によって接着されて封入物が封入される領域が形成され、かつ、配達証が設けられた紙片が剥離可能な接着剤によって他の紙片と接着されているため、配達証を封筒から容易に分離して回収することができる。また、上述したように、配達物の発送元において、配達物となる封筒に宛先情報とともに配達証を印刷することにより、封筒に記載された宛先情報と、配達証に記載された受取人の住所や氏名等との人手による照合作業が不要となる。
【０００５】
また、近年、上述したように複数の紙片が重ね合わされて作製される封筒においては、紙片どうしの折り部に直交した辺部に渡って開封用のミシン目を予め穿設しておき、それにより、容易に開封することができるものが考えられている（例えば、特許文献２参照。）。このような構成の封筒に上述したような配達証を設けた場合、配達証が封筒から切り離された後、折り部と直交する位置にある辺部をミシン目によって取り除いて封筒を開封し、封筒内に封入された封入物を取り出すことになる。
【特許文献１】特開２０００−３１８７４１号公報
【特許文献２】特開２００３−１３６８６５号公報
【発明の開示】
【発明が解決しようとする課題】
【０００６】
しかしながら、上述したように、３つの紙片が重ね合わされて構成され、１つの紙片に配達証が分離可能に区画形成された封筒について、１つの辺部に渡って開封用のミシン目を予め穿設しておき、それにより、容易に開封することができるようにしたものにおいては、配達証が封筒から切り離された後、ミシン目を切断することにより一部を取り除いて封筒を開封することになるため、取り除いた部分のごみが生じてしまうという問題点がある。
【０００７】
本発明は、上述したような従来の技術が有する問題点に鑑みてなされたものであって、３つの紙片が重ね合わされ、重なり合った紙片どうしが周縁部にて接着されて形成された封筒において、容易に開封することができながらもごみを生じさせることのない封筒を提供することを目的とする。
【課題を解決するための手段】
【０００８】
上記目的を達成するために本発明は、
第１、第２及び第３の紙片がこの順で重ね合わされ、重なり合った前記紙片どうしが周縁部にて接着されて形成された封筒であって、
前記第１の紙片には、情報記入部が分離可能に区画形成されているとともに、該情報記入部の両側縁にそれぞれ接した位置を始端とし当該紙片内に終端を有するように２本の第１の切り取り線が形成され、
前記第２の紙片には、第２の切り取り線が、前記第１の切り取り線と対向し、かつ前記第１の切り取り線の始端間を前記情報記入部と対向する領域内で繋いで形成され、
前記第２の紙片と前記第３の紙片との間で、封入物が封入される封入部が形成されている。
【０００９】
また、前記情報記入部は、一部に分離開始部が形成され、
前記２本の第１の切り取り線は、前記分離開始部からの前記情報記入部の分離方向上流側の間隔が、前記分離開始部からの前記情報記入部の分離方向下流側の間隔よりも広くなるように形成されていることを特徴とする。
【００１０】
また、連接した３つの紙片を有し、前記各紙片が重なり合うように折り畳まれ、折り畳まれた前記紙片の周縁どうしが接着されることによって封筒を形成する封筒用紙であって、
前記各紙片のうち前記封筒の裏面側を構成する紙片には、情報記入部が分離可能に区画形成されているとともに、該情報記入部の両側縁にそれぞれ接した位置を始端とし当該紙片内に終端を有するように２本の第１の切り取り線が形成され、
前記各紙片のうち、折り畳まれたときに２つの前記紙片の間に位置する紙片には、第２の切り取り線が、前記各紙片が折り畳まれた状態のときに前記第１の切り取り線と対向し、かつ前記第１の切り取り線の始端間を前記情報記入部と対向する領域内で繋いで形成されている。
【００１１】
上記のように構成された本発明においては、情報記入部が分離された後、情報記入部が区画形成された第１の紙片に形成された第１の切り取り線とともに、第２の紙片に形成された第２の切り取り線を切断していくことによって封筒が開封され、封筒内に封入された封入物が取り出されることになる。この際、情報記入部の両側縁に接した始端から第１の切り取り線を切断していくことになるが、第１の切り取り線は、この第１の切り取り線が形成された第１の紙片内にて終端を有するため、第１の切り取り線が完全に切断された場合であっても第１の紙片から分離する領域は生じることはなく、それにより、ごみが生じることがない。また、第２の切り取り線においても、第１の切り取り線と対向するように形成されているため、同様に、第２の切り取り線が完全に切断された場合であっても第２の紙片から分離する領域は生じることはなく、それにより、ごみが生じることがない。
【発明の効果】
【００１２】
以上説明したように本発明においては、第１、第２及び第３の紙片がこの順で重ね合わされ、重なり合った紙片どうしが周縁部にて接着されて形成された封筒であって、第１の紙片には、情報記入部が分離可能に区画形成されているとともに、該情報記入部の両側縁にそれぞれ接した位置を始端とし当該紙片内に終端を有するように２本の第１の切り取り線が形成され、第２の紙片には、第２の切り取り線が、第１の切り取り線と対向し、かつ第１の切り取り線の始端間を情報記入部と対向する領域内で繋いで形成され、第２の紙片と第３の紙片との間で、封入物が封入される封入部が形成されている構成としたため、封筒を容易に開封することができ、また、第１及び第２の切り取り線が完全に切断された場合であっても紙片から分離する領域は生じることはなく、それにより、ごみが生じることがない。
【００１３】
また、情報記入部の一部に分離開始部が形成され、２本の第１の切り取り線が、分離開始部からの情報記入部の分離方向上流側の間隔が、分離開始部からの情報記入部の分離方向下流側の間隔よりも広くなるように形成されているものにおいては、情報記入部を分離開始部から分離していく際に、その分離動作に伴って第１及び第２の切り取り線が切断されてしまうことを回避することができる。
【発明を実施するための最良の形態】
【００１４】
以下に、本発明の実施の形態について図面を参照して説明する。
【００１５】
図１は、本発明の封筒を作成するための封筒用紙の実施の一形態を示す図であり、（ａ）は表面の構成を示す図、（ｂ）は裏面の構成を示す図である。
【００１６】
本形態は図１に示すように、第１の紙片１０と、第３の紙片２０と、第２の紙片３０とが連接部分となる折り線４０ａ，４０ｂを介して連接してなるものであって、裏面の連接方向両辺に沿う領域にそれぞれ接着剤６０ａ，６０ｂが塗布されて構成されている。なお、折り線４０ａ，４０ｂは、例えばミシン目によって形成すること等が考えられる。
【００１７】
３つの紙片１０，２０，３０のうち、連接状態の中央に位置し、折り線４０ａ，４０ｂを介して折り畳まれた場合に封筒の表面を構成する紙片２０の表面には、この封筒用紙１によって作成された封筒の受取人の住所や氏名等の宛先情報２１が印刷されている。
【００１８】
また、折り線４０ａを介して紙片２０に連接し、折り線４０ａ，４０ｂを介して折り畳まれた場合に封筒の裏面を構成する紙片１０には、マイクロミシン目１２によって情報記入部である配達証１１ａ，１１ｂが分離可能に区画形成されており、また、配達証１１ａ，１１ｂのそれぞれについて、マイクロミシン目１２に連通し、配達証１１ａ，１１ｂを接着剤６０ｂが塗布された側から接着剤６０ａが塗布された側に向かってマイクロミシン目１２によって紙片１０から分離するための分離開始部である切り込み１３ａ，１３ｂが形成されている。２つの配達証１１ａ，１１ｂのうち、一方の配達証１１ａは、この封筒用紙１によって作成された封筒が受取人にて受け取られた場合に回収されるものであり、他方の配達証１１ｂは封筒とともに受取人に渡されるものである。これら配達証１１ａ，１１ｂには、その表面に、紙片２０に印刷された宛先情報２１に含まれる封筒の受取人の住所や氏名等が印刷されるとともに、受取人の受取印を押下するための領域が設けられており、さらに、この配達証を管理するためのバーコード情報が印刷されている。また、配達証１１ｂの裏面には、クーポン情報１４が印刷されている。また、配達証１１ａの側縁に接した位置をそれぞれ始端とし、始端に対して紙片１０内の接着剤６０ｂが塗布された領域側に終端を有する第１の切り取り線である２本のミシン目１５ａ，１５が形成されている。この２本のミシン目１５ａ，１５ｂは、配達証１１ａの側縁に接した始端どうしの間隔が終端どうしの間隔よりも狭くなっている。すなわち、切り込み１３ａ，１３ｂからの配達証１１ａ，１１ｂの分離方向上流側の間隔が、切り込み１３ａ，１３ｂからの配達証１１ａ，１１ｂの分離方向下流側の間隔よりも広くなるように形成されている。
【００１９】
また、折り線４０ｂを介して紙片２０に連接し、折り線４０ａ，４０ｂを介して折り畳まれた場合に２つの紙片１０，２０の間に位置する紙片３０の表面には、封筒用紙１が折り線４０ａ，４０ｂを介して折り畳まれた場合に配達証１１ａ，１１ｂに対向する領域に広告情報３１ａ，３１ｂがそれぞれ印刷されており、また、広告情報３１ａ，３１ｂを介して折り線４０ｂ側に接着剤３２ａが塗布されているとともに、広告情報３１ａ，３１ｂを介して折り線４０ｂとは反対側に接着剤３２ｂが塗布されている。また、折り線４０ａ，４０ｂを介して折り畳まれた場合にミシン目１５ａ，１５ｂに対向するように第２の切り取り線となるミシン目３３が形成されている。なお、このミシン目３３は、ミシン目１５ａ，１５ｂの始端に対向する端部が配達証１１ａと対向する領域内で繋いで形成されており、この繋がれた部分に切り込み３４が形成されている。
【００２０】
上記のように構成された封筒用紙１を用いて、封筒内に封入物が封入されてなる封書を作製する場合は、まず、連続用紙に、宛先情報２１、配達証１１ａ，１１ｂ、クーポン情報１４及び広告情報３１ａ，３１ｂを印刷するとともに、ミシン目１５ａ，１５ｂ，３３、マイクロミシン目１２及び切り込み１３ａ，１３ｂ，３４を形成しておき、この連続用紙に対して、封筒用紙１毎にその天地領域に接着剤６０ａ，６０ｂをそれぞれライン状に塗布する。
【００２１】
次に、接着剤６０ａ，６０ｂが塗布された連続用紙に対して、封筒用紙１毎に紙片２０となる領域上に封入物を載置する。
【００２２】
次に、封筒用紙１毎に紙片３０となる領域の表面に接着剤３２ａ，３２ｂをライン状に塗布しながら、紙片３０となる領域を折り線４０ｂを介して折り畳み、また、封筒用紙１の紙片１０となる領域を折り線４０ａを介して折り畳み、封筒用紙１のそれぞれについて、紙片１０と紙片３０とを、接着剤３２ａ，３２ｂ，６０ａ，６０ｂによって互いに接着する。
【００２３】
その後、折り線４０ａ，４０ｂを介して折り畳まれて紙片１０，２０，３０が互いに接着された連続用紙を封筒用紙１毎に断裁し、それにより、封筒用紙１によって作製された封筒に封入物が封入されてなる封書を作製することになる。
【００２４】
図２は、図１に示した封筒用紙１を用いて作製された封書の構成を示す図であり、（ａ）は表面を示す図、（ｂ）は（ａ）に示したＡ−Ａ’断面図、（ｃ）は裏面を示す図である。
【００２５】
図１に示した封筒用紙１を用いて作製された封書は図２に示すように、３つの紙片１０，２０，３０が連接してなる封筒用紙１が巻き込むように折り線４０ａ，４０ｂを介して順次折り畳まれて紙片１０、紙片３０、紙片２０の順に重ね合わされ、封筒用紙１の巻き込み状態における内側面の巻き込み方向両辺に沿う領域に塗布された接着剤６０ａ，６０ｂによって紙片１０，２０，３０の周縁部が接着され、紙片２０と紙片３０との間で形成される封入部に封入物７０が封入されて構成されている。また、封筒の裏面側を構成する紙片１０においては、マイクロミシン目１２及び切り込み１３ａ，１３ｂによって配達証１１ａ，１１ｂが分離可能に区画形成されるとともに、配達証１１ａと接した位置を始端とし、紙片１０内に終端を有するミシン目１５ａ，１５が形成され、折り線４０ａを介して折り畳まれた場合に紙片１０と対向する紙片３０のうち配達証１１ａ，１１ｂと対向する領域に印刷された広告情報３１ａ，３１ｂよりも巻き込み形状の外側に塗布された接着剤３２ａによって紙片２０と接着されている。
【００２６】
以下に、上記のように構成された封書の使用方法について説明する。
【００２７】
図３は、図１に示した封筒用紙１を用いて作製された封書の使用方法を説明するための図である。
【００２８】
図１に示した封筒用紙１を用いて作製された封書は、紙片２０に印刷された宛先情報２１に従って受取人に配達される。
【００２９】
封書が受取人に配達された後、紙片１０に設けられた配達証１１ａ，１１ｂのうち、一方の配達証１１ａを紙片１０から分離するために、紙片１０に形成された切り込み１３ａに指等を挿入し、配達証１１ａを捲りあげていくと（図３（ａ））、配達証１１ａがマイクロミシン目１２によって紙片１０から切り離されて分離していく。ここで、配達証１１ａにおいては、接着剤６０ａが塗布された領域に沿う辺と接着剤６０ｂが塗布された領域に沿う辺とを結ぶ方向について、配達証１１ａの接着剤６０ｂが塗布された領域に沿う辺側に切り込み１３ａが設けられているため、接着剤６０ｂが塗布された領域に沿う辺側から接着剤６０ａが塗布された領域に沿う辺側に向かって分離されていく。一方、紙片１０に形成されたミシン目１５ａ，１５ｂは、配達証１１ａに接した位置を始端とし、始端から２本のミシン目１５ａ，１５ｂの間隔が広がるようにして接着剤６０ｂが塗布された領域に沿う辺側に延びている。そのため、配達証１１ａをマイクロミシン目１２によって紙片１０から分離した場合であっても、その分離動作に伴ってミシン目１５ａ，１５ｂが切断されてしまうことはない。
【００３０】
配達証１１ａが紙片１０から完全に分離されると、紙片３０の配達証１１ａに対向する領域に印刷された広告情報３１ａが視認可能な状態となる（図３（ｂ））。なお、この際、紙片３０に形成されたミシン目３３の一部及びこのミシン目３３に連通した切り込み３４が外部に露出する。また、この際、配達証１１ａが設けられた紙片１０は、紙片１０と対向する紙片３０のうち配達証１１ａ，１１ｂと対向する領域よりも巻き込み形状の外側に塗布された接着剤３２ａによって紙片３０と接着されているので、封筒が開いてしまったり、封筒内に封入された封入物が外部から見えてしまったりすることはない。また、紙片１０と対向する紙片３０のうち配達証１１ａ，１１ｂと対向する領域よりも巻き込み形状の内側に接着剤３２ｂが塗布されているため、配達証１１ａを分離した後であっても、封筒内に封入された封入物７０が外部に脱落してしまうことはない。
【００３１】
その後、紙片１０から分離された配達証１１ａに設けられた押印領域に受取人が押印し、この配達証１１ａが配達人によって回収される。
【００３２】
また、紙片１０に残存した配達証１１ｂが封書の受取人によって、配達証１１ａと同様に紙片１０から分離されると、紙片３０の配達証１１ｂに対向する領域に印刷された広告情報３１ｂが視認可能な状態となる（図３（ｃ））。なお、本形態においては、配達証１１ａ，１１ｂの周囲にマイクロミシン目１２を形成しておくことにより、配達証１１ａ、１ｂを紙片１０から分離可能としているが、マイクロミシン目１２に限らず、一般的なミシン目やハーフスリット等、切り取り可能なものであればよい。ただし、マイクロミシン目１２による方が、配達証１１ａ，１１ｂを紙片１０から容易に分離することができる。また、この際、配達証１１ｂの裏面には、クーポン情報１４が印刷されているため、この配達証１１ｂをクーポン券として使用することもできる。
【００３３】
その後、封書の受取人が紙片３０に形成された切り込み３４に指等を挿入し、紙片３０を捲り上げていくと（図３（ｄ））、紙片３０がミシン目３３を介して切断されるとともに、紙片１０がミシン目１５ａ，１５ｂを介して切断され、内部に封入された封入物７０が取り出されることになる（図３（ｅ））。この際、ミシン目１５ａ，１５ｂ，３０の終端がそれぞれ紙片１０，３０内に設けられているため、ミシン目１５ａ，１５ｂ，３３が完全に切断された場合であっても紙片１０，３０から分離する領域は生じることはなく、それにより、ごみが生じることがない。
【００３４】
なお、本形態においては、３つの紙片１０，２０，３０が連接してなる封筒用紙１が巻き込むように折り線４０ａ，４０ｂを介して順次折り畳まれて紙片１０、紙片３０、紙片２０の順に重ね合わされ、封筒用紙１の巻き込み状態における内側面の巻き込み方向両辺に沿う領域に塗布された接着剤６０ａ，６０ｂによって紙片１０，２０，３０の周縁部が接着され、紙片２０と紙片３０との間で封入部が形成された封筒を例に挙げて説明したが、３つの紙片が重ね合わされ、重なり合った紙片どうしが周縁部にて接着されて形成された封筒であって、３つの紙片のうち、封筒の裏面となる紙片に、情報記入部が分離可能に区画形成されているとともに、情報記入部の両側縁にそれぞれ接した位置を始端としこの紙片内に終端を有するように２本の第１の切り取り線が形成され、また、３つの紙片のうち、封筒の表裏を構成する２つの紙片の間に位置する紙片に、第２の切り取り線が、第１の切り取り線と対向し、かつ第１の切り取り線の始端間を情報記入部と対向する領域内で繋いで形成されたものであれば、連接された３つの紙片がＺ折りに折り畳まれることにより形成されるものや、連接されていない３つの紙片が重ね合わされて周縁部にて接着されて形成されるものであってもよい。
【図面の簡単な説明】
【００３５】
【図１】本発明の封筒を作成するための封筒用紙の実施の一形態を示す図であり、（ａ）は表面の構成を示す図、（ｂ）は裏面の構成を示す図である。
【図２】図１に示した封筒用紙を用いて作製された封書の構成を示す図であり、（ａ）は表面を示す図、（ｂ）は（ａ）に示したＡ−Ａ’断面図、（ｃ）は裏面を示す図である。
【図３】図１に示した封筒用紙を用いて作製された封書の使用方法を説明するための図である。
【符号の説明】
【００３６】
１    封筒用紙
１０，２０，３０    紙片
１１ａ，１１ｂ    配達証
１２    マイクロミシン目
１３ａ，１３ｂ，３４    切り込み
１４    クーポン情報
１５ａ，１５ｂ，３３    ミシン目
２１    宛先情報
３１ａ，３１ｂ    広告情報
３２ａ，３２ｂ，６０ａ，６０ｂ    接着剤
４０ａ，４０ｂ    折り線
７０    封入物
【図１】
2006035742.tif 000003
【図２】
2006035742.tif 000004
【図３】
2006035742.tif 000005